(57)【要約】【課題】複数の不審者が侵入した場合においても、不審者の数及び不審者の位置を特定すること。【解決手段】遅延時間変化解析部１０５は、広帯域なパルス信号が送信されてから、当該パルス信号が反射源により反射されて到来波として受信されるまでの遅延時間の時間的な揺らぎ（遅延時間変化）の周波数成分を抽出し、反射源判定部１０６は、入力される到来波の遅延時間の時間的な揺らぎ（遅延時間変化）の周波数成分に基づいて、到来波の反射源が、人体等の呼吸、心拍を伴う動体か、壁又は什器等の固定物体かを判定するようにした。また、送信パルスに広帯域なＵＷＢパルス信号を用いることにより、時間軸上で到来波が分離されるため、エリア内に侵入した不審者を検知し、不審者の数を検出することができる。【選択図】図１
2011007518.tif 000002
【特許請求の範囲】
【請求項１】
所定間隔毎に広帯域なパルス信号を送信する送信手段と、
受信手段と、
前記所定間隔毎に、前記受信手段により受信された受信信号の遅延プロファイルを生成する生成手段と、
前記遅延プロファイルのピークを検出することにより、前記広帯域なパルス信号が反射源により反射された到来波を前記反射源毎に検出する検出手段と、
前記送信手段が前記広帯域なパルス信号を送信してから、前記受信手段が前記到来波を受信するまでの遅延時間の時間的な揺らぎの周波数成分を、前記反射源毎に解析する解析手段と、
前記反射源毎の前記周波数成分に基づいて、前記反射源が動体か固定物体かを判定する判定手段と、
を具備する不審者検知装置。
【請求項２】
所定間隔毎に広帯域なパルス信号を送信する送信手段と、
受信手段と、
前記所定間隔毎に、前記受信手段により受信された受信信号の遅延プロファイルを生成する生成手段と、
前記遅延プロファイルのピークを検出することにより、前記広帯域なパルス信号が反射源により反射された到来波を前記反射源毎に検出する検出手段と、
前記到来波の受信強度の時間的な揺らぎの周波数成分を、前記反射源毎に解析する解析手段と、
前記反射源毎の前記周波数成分に基づいて、前記反射源が動体か固定物体かを判定する判定手段と、
を具備する不審者検知装置。
【請求項３】
請求項１又は請求項２に記載の不審者検知装置であって、
前記送信手段が前記広帯域なパルス信号を送信してから、前記受信手段が前記到来波を受信するまでの遅延時間に基づいて、前記反射源との距離を測定する距離測定手段と、
受信した前記到来波の到来方向を測定する到来方向測定手段と、を更に具備し、
前記判定手段は、測定された前記距離及び前記到来方向に基づいて、更に、前記反射源の位置を特定する前記不審者検知装置と、
前記不審者検知装置から送信される前記広帯域なパルス信号を受信する受信手段と、
受信した前記広帯域なパルス信号に自装置に固有のタグＩＤを付加する付加手段と、
前記タグＩＤを付加した前記パルス信号を増幅して送信する送信手段と、を具備する端末と、
を備える不審者検知システム。
【請求項４】
所定間隔毎に広帯域なパルス信号を送信し、
前記所定間隔毎に受信信号の遅延プロファイルを生成し、
前記遅延プロファイルのピークを検出することにより、前記広帯域なパルス信号が反射源により反射された到来波を前記反射源毎に検出し、
前記パルス信号を送信してから、前記到来波が受信されるまでの遅延時間の時間的な揺らぎの周波数成分を、前記反射源毎に解析し、
前記反射源毎の前記周波数成分に基づいて、前記反射源が動体か固定物体かを判定する、
不審者検知方法。
【請求項５】
所定間隔毎に広帯域なパルス信号を送信し、
前記所定間隔毎に受信信号の遅延プロファイルを生成し、
前記遅延プロファイルのピークを検出することにより、前記広帯域なパルス信号が反射源により反射された到来波を前記反射源毎に検出し、
前記到来波の受信強度の時間的な揺らぎの周波数成分を、前記反射源毎に解析し、
前記反射源毎の前記周波数成分に基づいて、前記反射源が動体か固定物体かを判定する、
不審者検知方法。
【発明の詳細な説明】
【技術分野】
【０００１】
本発明は、ＵＷＢ（Ultra-Wide-Band）パルス無線を利用した不審者検知装置、不審者検知システム及び不審者検知方法に関する。
【背景技術】
【０００２】
近年、無線ＩＣ（Integrated Circuit）カードを用いて、オフィスなどの特定のエリアの出入り口に無線ＩＣカードリーダを配置し、エリアに出入りする人間がエリアに入ることを許可されているかどうかを認証するセキュリティシステムが一般的に知られている。このようなシステムでは、入出門時にカードリーダにＩＣカードをかざす必要があり、時間がかかるという問題がある。
【０００３】
この問題を解決するシステムとして、特許文献１にマイクロ波無線信号を用いたセキュリティシステムが開示されている。
【０００４】
特許文献１のセキュリティシステムでは、特定の範囲をカバーする基地局を複数配置し、基地局は、カバー範囲に進入する人間がタグを携帯しているか否か判定し、タグを携帯していない場合、不審者が新入したとして警告する。
【０００５】
マイクロ波信号を送信する基地局と、基地局から送信された信号を受信し、再び基地局へ向けて送信するタグにより構成される。基地局は、タグからの信号を受信することにより、自らが管理するエリアに登録された人間が入ったことを検知する。一方で、あらかじめ登録されていないタグを持たない人間がエリアに入ったことを検知するために、人体からの反射波を利用する。
【０００６】
しかし、基地局で受信する信号には、タグからの送信波、壁で反射する反射波、什器で反射する反射波、人体などの動体から反射する反射波など、さまざまな反射波が受信されている。よって、基地局は、どの反射物からの反射波であるかを判別する必要がある。
【０００７】
タグからの反射波は、Ｍ系列のような擬似ランダム系列を用いて信号を変調されているので、受信信号の復調結果からＭ系列を取り出すことができるか否かにより、タグからの反射波か否か判別できる。受信信号からＭ系列を取り出すことができれば、タグからの反射波であると判別できる。
【０００８】
一方、壁や什器等の固定物体からの反射波と人間（不審者）からの反射波とを区別するために、特許文献１に開示されたセキュリティシステムでは、受信信号の周波数解析を行う。そして、タグを持たない不審者がエリア内に侵入した場合、反射波を解析し、その周波数特性から、不審者が侵入したことを検知することが可能である。
【先行技術文献】
【特許文献】
【０００９】
【特許文献１】特許第３７６３４５４号明細書
【発明の概要】
【発明が解決しようとする課題】
【００１０】
しかしながら、上記セキュリティシステムでは、マイクロ波無線信号を用いているため、エリア内に不審者が複数人侵入した場合、不審者が何人侵入したかを検知することが困難となる。これは、不審者からの複数の反射波が基地局で足し合わされ、受信信号としてひとつに見えるためである。このため、上記セキュリティシステムでは、足し合わされた到来波が、壁や什器等の固定物体からの反射波であるか、人間からの反射波であるかを区別することはできるものの、反射源が複数の場合にそれを見分けることが困難となる。
【００１１】
また、特許文献１に記載のセキュリティシステムに、ＵＷＢ（Ultra-Wide-Band）パルス無線を単に適用しても、不審者からの反射波を分離することができるものの、特許文献１に記載のセキュリティシステムでは、送信信号を９０°移相した信号を用いて固定物体からの反射波であるか人間からの反射波であるか否か区別しているため、ＵＷＢ帯での９０°移相信号を生成する必要があり、回路構成が複雑となってしまう。
【００１２】
本発明の目的は、複数の不審者が侵入した場合においても、不審者の数及び不審者の位置を特定する不審者検知装置、不審者検知システム及び不審者検知方法を提供することである。
【課題を解決するための手段】
【００１３】
本発明の不審者検知装置は、所定間隔毎に広帯域なパルス信号を送信する送信手段と、受信手段と、前記所定間隔毎に、前記受信手段により受信された受信信号の遅延プロファイルを生成する生成手段と、前記遅延プロファイルのピークを検出することにより、前記広帯域なパルス信号が反射源により反射された到来波を前記反射源毎に検出する検出手段と、前記送信手段が前記広帯域なパルス信号を送信してから、前記受信手段が前記到来波を受信するまでの遅延時間の時間的な揺らぎの周波数成分を、前記反射源毎に解析する解析手段と、前記反射源毎の前記周波数成分に基づいて、前記反射源が動体か固定物体かを判定する判定手段と、を具備する。
【００１４】
本発明の不審者検知装置は、所定間隔毎に広帯域なパルス信号を送信する送信手段と、受信手段と、前記所定間隔毎に、前記受信手段により受信された受信信号の遅延プロファイルを生成する生成手段と、前記遅延プロファイルのピークを検出することにより、前記広帯域なパルス信号が反射源により反射された到来波を前記反射源毎に検出する検出手段と、前記到来波の受信強度の時間的な揺らぎの周波数成分を、前記反射源毎に解析する解析手段と、前記反射源毎の前記周波数成分に基づいて、前記反射源が動体か固定物体かを判定する判定手段と、を具備する。
【００１５】
本発明の不審者検知システムは、上記記載の不審者検知装置であって、前記送信手段が前記広帯域なパルス信号を送信してから、前記受信手段が前記到来波を受信するまでの遅延時間に基づいて、前記反射源との距離を測定する距離測定手段と、受信した前記到来波の到来方向を測定する到来方向測定手段と、を更に具備し、前記判定手段は、測定された前記距離及び前記到来方向に基づいて、更に、前記反射源の位置を特定する前記不審者検知装置と、前記不審者検知装置から送信される前記広帯域なパルス信号を受信する受信手段と、受信した前記広帯域なパルス信号に自装置に固有のタグＩＤを付加する付加手段と、前記タグＩＤを付加した前記パルス信号を増幅して送信する送信手段と、を具備する端末と、を具備する端末と、を備える。
【００１６】
本発明の不審者検知方法は、所定間隔毎に広帯域なパルス信号を送信し、前記所定間隔毎に受信信号の遅延プロファイルを生成し、前記遅延プロファイルのピークを検出することにより、前記広帯域なパルス信号が反射源により反射された到来波を前記反射源毎に検出し、前記パルス信号を送信してから、前記到来波が受信されるまでの遅延時間の時間的な揺らぎの周波数成分を、前記反射源毎に解析し、前記反射源毎の前記周波数成分に基づいて、前記反射源が動体か固定物体かを判定するようにした。
【００１７】
本発明の不審者検知方法は、所定間隔毎に広帯域なパルス信号を送信し、前記所定間隔毎に受信信号の遅延プロファイルを生成し、前記遅延プロファイルのピークを検出することにより、前記広帯域なパルス信号が反射源により反射された到来波を前記反射源毎に検出し、前記到来波の受信強度の時間的な揺らぎの周波数成分を、前記反射源毎に解析し、前記反射源毎の前記周波数成分に基づいて、前記反射源が動体か固定物体かを判定するようにした。
【発明の効果】
【００１８】
本発明によれば、複数の不審者が侵入した場合においても、不審者を別々に検知することができる。
【図面の簡単な説明】
【００１９】
【図１】本発明の実施の形態１に係る不審者検知装置の要部構成を示すブロック図
【図２】実施の形態１に係る不審者検知装置から送信される基準信号を示した図
【図３】本発明において想定される周辺環境を示した図
【図４】図３に示される環境において測定される遅延プロファイルの一例を示した図
【図５】人間が呼吸をしたときの反射面の変化を説明するための図
【図６】本発明の実施の形態２に係る不審者検知装置の要部構成を示すブロック図
【図７Ａ】電波暗室内に構築した測定環境を表す図
【図７Ｂ】電波暗室内に構築した別の測定環境を表す図
【図８Ａ】金属板により反射された反射波の周波数解析結果を示す図
【図８Ｂ】図８Ａの一部を拡大した図
【図９Ａ】人体により反射された反射波の周波数解析結果を示す図
【図９Ｂ】図９Ａの一部を拡大した図
【図１０】本発明の実施の形態３に係る不審者検知システムの全体構成を示した図
【図１１】実施の形態３に係る不審者検知装置の要部構成を示すブロック図
【図１２】実施の形態３における反射源判定方法を説明するためのフロー図
【図１３】実施の形態３に係る不審者検知装置の別の要部構成を示すブロック図
【発明を実施するための形態】
【００２０】
以下、本発明の実施の形態について、図面を参照して詳細に説明する。
【００２１】
（実施の形態１）
図１は、本実施の形態に係る不審者検知装置の要部構成を示すブロック図である。図１の不審者検知装置１００は、受信アンテナ１０１、受信無線部１０２、遅延プロファイル生成部１０３、ピーク検出部１０４、遅延時間変化解析部１０５、反射源判定部１０６、パルス生成部１０７、送信無線部１０８、及び送信アンテナ１０９を備える。
【００２２】
受信アンテナ１０１は、送信アンテナ１０９から送信されたパルス信号（送信パルス）の反射波を受信する。受信アンテナ１０１は、受信したパルス信号（受信パルス）を受信無線部１０２に送出する。
【００２３】
受信無線部１０２は、入力された受信パルスに対して増幅、検波、ＡＤ（Analog to Digital）変換等の処理を行い、デジタルベースバンド信号に変換する。受信無線部１０２は、変換後のデジタルベースバンド信号を遅延プロファイル生成部１０３に送出する。
【００２４】
遅延プロファイル生成部１０３は、入力されたデジタルベースバンド信号から、遅延プロファイルを生成する。遅延プロファイルとは、広帯域なパルス信号を送信し、その受信信号を検波することにより生成することができ、縦軸に受信強度（受信電力）、横軸に遅延時間として作成された到来遅延時間特性である。ここで、遅延時間とは、広帯域なパルス信号が送信されてから、当該パルス信号が反射源により反射されて到来波として受信されるまでの時間である。したがって、インパルスを送受信するＵＷＢ方式では、受信信号が遅延プロファイルそのものとなる。遅延プロファイル生成部１０３は、生成した遅延プロファイルをピーク検出部１０４へ送出する。
【００２５】
ピーク検出部１０４は、入力された遅延プロファイルにおいて上に凸となる変曲点を検出する。遅延プロファイルにおいて上に凸となる変曲点は、到来波の存在を意味する。したがって、ピーク検出部１０４は、上に凸となる変曲点の時間を求めることにより、送信アンテナ１０９からパルス信号が送信されてから、到来波が受信アンテナ１０１に到着して受信されるまでの遅延時間を求めることができる。ピーク検出部１０４は、到来波の遅延時間を反射源毎に検出し、検出した到来波の遅延時間及び受信強度を遅延時間変化解析部１０５に送出する。
【００２６】
遅延時間変化解析部１０５は、入力された到来波の情報（遅延時間及び受信強度）のうち、遅延時間の情報を用いて、到来波の遅延時間の時間的な揺らぎ（遅延時間変化）を反射源毎に解析する。送信パルスは、後述する送信アンテナ１０９より繰り返し送信される。したがって、送信アンテナ１０９から送信された送信パルスの反射波も、不審者検知装置１００において繰り返し到来波として受信される。すなわち、遅延時間変化解析部１０５は、この反射波（到来波）の遅延時間の時間的な揺らぎ（遅延時間変化）を、異なる反射源から毎に解析する。なお、遅延時間変化解析部１０５において検出可能な周波数成分は、送信パルスの送信間隔（繰り返し間隔）により決定される。例えば、送信パルスの送信間隔（繰り返し間隔）が１００ｎｓとすると、遅延時間変化解析部１０５は、到来波の遅延時間の時間的な揺らぎ（遅延時間変化）の周波数成分を１０ＭＨｚまで検出することができる。遅延時間変化解析部１０５は、到来波の遅延時間の時間的な揺らぎ（遅延時間変化）の周波数成分を解析結果として反射源判定部１０６に送出する。
【００２７】
反射源判定部１０６は、異なる反射源により反射された反射源毎の到来波の遅延時間の時間的な揺らぎ（遅延時間変化）の解析結果から、特定の周波数成分の到来波のみを検出する。例えば、人体からの反射波の遅延時間の時間的な揺らぎ（遅延時間変化）の周波数成分が０．５Ｈｚ〜２Ｈｚであるとすると、反射源判定部１０６は、０．５Ｈｚ〜２Ｈｚに強い周波数成分を持つ到来波を検出し、当該到来波の反射源が人体であると推定する。反射源判定部１０６は、すべての到来波に対し、時間的な揺らぎ（遅延時間変化）が０．５Ｈｚ〜２Ｈｚに強い周波数成分を持つか否か判定することにより、反射源が人体か否か推定する。反射源判定部１０６は、反射源が人体であると推定した数、及び、人体からの到来波の遅延時間を判定する。そして、反射源判定部１０６は、人体からの到来波の数から、エリア内の不審者の数を算出する。更に、反射源判定部１０６は、人体からの到来波の遅延時間の結果を用いて、不審者との距離を算出する。
【００２８】
パルス生成部１０７は、一定周期で繰り返しパルス信号を生成する。上述したように、送信パルスの送信間隔（繰り返し間隔）は、検出可能な周波数成分を決定する。以下では、パルス生成部１０７が、１００ｎｓ毎にパルス信号を生成する場合を例に説明する。これにより、遅延時間変化解析部１０５は、到来波の遅延時間の時間的な揺らぎ（遅延時間変化）の周波数成分を１０ＭＨｚまで検出することができる。なお、パルス生成間隔は１００ｎｓに限られず、遅延時間変化解析部１０５が検出すべき遅延時間の時間的な揺らぎ（遅延時間変化）の周波数成分を考慮して決定すればよい。パルス生成部１０７は、生成したパルス信号を送信無線部１０８に送出する。
【００２９】
送信無線部１０８は、入力されるパルス信号を周波数変換又は発振回路を用いて無線周波数に変換する。送信無線部１０８は、無線周波数に変換されたパルス信号を増幅し、帯域制限を行った後に、送信アンテナ１０９に送出する。
【００３０】
送信アンテナ１０９は、入力されるパルス信号を送信パルスとして空間へ送信する。
【００３１】
図２は、送信アンテナ１０９から送信されるパルス信号の一例を示す図である。図２は、パルス信号が１００ｎｓ間隔で送信されている例である。図２において、送信パルス２００は、送信アンテナ１０９から最初に送信されるパルス信号である。送信パルス２００が送信されてから１００ｎｓ後に、送信パルス２０１が送信される。以下同様に１００ｎｓの間隔で送信パルス２０２、送信パルス２０３が順次送信される。このように、送信パルスは一定間隔で繰り返し送信される。
【００３２】
図３は、不審者検知装置１００を搭載した基地局３００と、当該基地局３００の周辺の環境の一例を示す図であり、図３は、基地局３００、壁３０１、什器３０２、不審者３０３、壁３０４、不審者３０５を含む環境例を示している。
【００３３】
基地局３００は、図２に示したように、パルス信号を繰り返し送信し、壁３０１，３０４、什器３０２、及び不審者３０３，３０５で反射されるパルス信号を受信する。
【００３４】
壁３０１は、基地局３００から最も近い距離に存在する。壁３０１は、基地局３００から送信されるパルス信号を反射する。
【００３５】
什器３０２は、基地局３００から２番目に近い距離に存在する。什器３０２は、基地局３００から送信されるパルス信号を反射する。
【００３６】
不審者３０３は、基地局３００から３番目に近い距離に存在する。不審者３０３は、基地局３００から送信されるパルス信号を反射する。
【００３７】
壁３０４は、基地局３００から４番目に近い距離に存在する。壁３０４は、基地局３００から送信されるパルス信号を反射する。
【００３８】
不審者３０５は、基地局３００から５番目に近い距離に存在する。不審者３０５は、基地局３００から送信されるパルス信号を反射する。
【００３９】
図４は、図３に示すような環境において、基地局３００から送信された信号が、壁３０１，３０４、什器３０２、不審者３０３，３０５で反射され、再び基地局３００で受信された状況における遅延プロファイルを示す。
【００４０】
図４において、横軸は到来波の遅延時間を表し、縦軸は受信パルスの受信強度（受信電力）を表す。また、図４において、ｔ＝１は送信パルス２００を基地局３００が受信した時に生成される遅延プロファイルを示す。同様に、ｔ＝２は送信パルス２０１、ｔ＝３は送信パルス２０２、ｔ＝４は送信パルス２０３を基地局３００が受信した時に生成される遅延プロファイルを示す。
【００４１】
図４において、到来波４００は、壁３０１で反射されて基地局３００で受信された到来波である。壁３０１は固定物体であるため、壁３０１で反射されて受信される信号の遅延時間は、ｔ＝１〜４において受信パルスにより生成された遅延プロファイルを通じて変化しない。
【００４２】
到来波４０１は、什器３０２で反射され基地局３００で受信された到来波である。什器３０２が固定物体であるため、什器３０２で反射されて受信される到来波の遅延時間は、到来波４００と同様に、ｔ＝１〜４において受信パルスにより生成された遅延プロファイルを通じて変化しない。
【００４３】
到来波４０２は、不審者３０３で反射され基地局３００で受信された到来波である。不審者３０３で反射して受信される到来波の遅延時間は、ｔ＝１、３では同じであるが、ｔ＝２、４ではそれぞれｔ＝１よりも短く、又は長くなっている。このように、不審者３０３からの反射波に対しては、遅延時間に時間的な揺らぎが発生する。この遅延時間の揺らぎは、不審者３０３の人体で信号が反射されるときに、心拍や呼吸により、基地局３００と反射点との距離が微妙に変化するために発生する。遅延時間の時間的な揺らぎについては、後述する。
【００４４】
到来波４０３は、壁３０４で反射され基地局３００で受信される到来波である。壁３０１の場合と同様に、壁３０４で反射して受信される到来波の遅延時間は、ｔ＝１〜４において受信パルスにより生成された遅延プロファイルを通じて変化しない。
【００４５】
到来波４０４は、不審者３０５で反射され基地局３００で受信された到来波である。不審者３０３の場合と同様に、不審者３０５で反射されて受信される到来波の遅延時間は、時間的な揺らぎが発生する。
【００４６】
このように、反射して基地局３００で受信される到来波のうち、壁又は什器等の固定物体で反射して受信される到来波は、遅延時間が変化せず、遅延時間の時間的な揺らぎはない。一方、人体で反射して基地局３００で受信される到来波は、人体が静止していた場合でも、心拍や呼吸動作により、信号の反射点が微妙に変化するため、遅延時間が心拍や呼吸の動作に合わせて変化し、遅延時間に時間的な揺らぎが発生する。
【００４７】
平常時の人の心拍数は、１分間で６０回程度である。また、平常時の人の呼吸は、２秒に１回程度である。したがって、基地局３００から送信された送信信号が人体の表面で反射される時、反射面は０．５Ｈｚから１Ｈｚ程度の周波数で変動する。このため、人体の表面で反射した反射波が基地局３００で受信される時、遅延時間は、心拍や呼吸の周期に応じて変動する。
【００４８】
なお、心拍や呼吸の特徴を抽出するためには、送信パルスを周期的に繰り返し送信する必要がある。具体的には、送信パルスの繰り返し周期は、人体の表面の変動が１Ｈｚまでなので、０．５秒間隔よりも短ければよい。
【００４９】
遅延時間変化解析部１０５は、一定期間のデータを内部のメモリに取り込み、取り込んだデータの時間的な揺らぎ（遅延時間変化）を解析する。このとき、遅延時間変化解析部１０５は、０．５Ｈｚの周波数成分を持った変動を検出することができるように、２秒以上のデータ量をメモリに取り込む。取り込まれたデータは雑音の影響を受けているため、誤差が発生する。したがって、雑音の影響を少なくするために、０．５秒間隔よりも短い周期でパルス信号を送信し、０．５秒以内の区間で遅延時間の平均値を計算することにより、雑音の耐性を上げることができる。
【００５０】
このようにして、遅延時間変化解析部１０５は、人体の変動の特徴として、時間的な揺らぎ（遅延時間変化）の周波数成分を抽出する。一方で、壁又は什器等の固定物体からの反射波は、反射点が変動しないため、このような特徴をもたない。換言すると、壁又は什器等の固定物体からの反射波は、反射波の遅延時間が変化しないという特徴を持っている。
【００５１】
図５は、人間が呼吸をしたときの反射面の変化を説明するための図である。図５において、上段は人間が息を吐いたときの状態を表し、下段は人間が息を吸ったときの状態を表している。ここで、アンテナ５００とアンテナ５０２とは同一アンテナであり、人体５０１と人体５０３とは、同一である。上段において、アンテナ５００から送信されたパルス信号は、人体５０１において反射して再びアンテナ５００で受信される。同様に、下段において、アンテナ５０２から送信されたパルス信号は、人体５０３において反射して再びアンテナ５０２で受信される。人体の表面は、呼吸にあわせて、膨張したり収縮したりを繰り返す。図５の上段の息を吐いた状態は、人体５０１の表面が最も収縮した状態を表し、図５の下段の息を吸ったときの状態は、人体５０３の表面が最も膨張した状態を表す。パルス信号を送受信するアンテナからの距離に注目すると、人体５０１の状態と人体５０３の状態との間には、送受信アンテナとの距離に差、すなわち、経路差が発生する。この経路差は、送受信アンテナから送信されるパルス信号が、人体５０１，５０３で反射して再び受信されるまでの距離が異なることを意味する。したがって、パルス信号を送信してから受信されるまでの時間が二つの状態で異なる。図５の上段の場合、遅延時間は長くなり、図５の下段の場合、遅延時間は短くなる。このように、人体で反射した到来波を受信したときに、その到来波の遅延時間は、人体の呼吸に合わせて変化することとなる。
【００５２】
同様のことが心拍における膨張、収縮にも言える。心拍においても、呼吸と同様に、心拍にあわせて人体の表面が膨張、収縮を繰り返している。呼吸と比較するとその膨張、収縮度合いは小さくなる。したがって、人体から反射した到来波の遅延時間の時間的な揺らぎ（遅延時間変化）も呼吸と比較すると小さくなる。また、その膨張と収縮の周期が呼吸とは異なることから、到来波の遅延時間の時間的な揺らぎ（遅延時間変化）を分析したときに抽出される周波数成分は異なる。
【００５３】
これらの特徴を用いて、到来波の遅延時間の時間的な揺らぎ（遅延時間変化）の周波数成分を検出することで、壁又は什器等の固定物体からの反射波であるか、呼吸、心拍を伴う人体からの反射波であるかを区別することができる。
【００５４】
更に、送信パルスに広帯域なＵＷＢパルス信号を用いることにより、反射源により反射して受信される信号が時間軸上で分離され、到来波４０２と到来波４０４とを区別できることから、到来波の遅延時間の時間的な揺らぎ（遅延時間変化）を解析し、人体の反射波であると特定できる到来波が複数存在する場合においても、これらを区別することができる。したがって、基地局３００がカバーするエリア内に複数の不審者が存在した場合においても、これら複数の不審者を区別して検知することができる。
【００５５】
更に、複数の不審者を区別することができることから、エリア内に侵入した不審者の数を検出することが可能である。
【００５６】
以上のように、本実施の形態では、遅延プロファイル生成部１０３は、入力されたデジタルベースバンド信号から遅延プロファイルを生成し、ピーク検出部１０４は、遅延プロファイルから到来波の遅延時間を反射源毎に検出し、遅延時間変化解析部１０５は、反射源毎に到来波の遅延時間の時間的な揺らぎ（遅延時間変化）の周波数成分を解析し、反射源判定部１０６は、入力される反射源毎の到来波の遅延時間の時間的な揺らぎ（遅延時間変化）の周波数成分に基づいて、到来波の反射源が、人体等の呼吸、心拍を伴う動体か、壁又は什器等の固定物体かを判定するようにした。また、送信パルスに広帯域なＵＷＢパルス信号を用いることにより、時間軸上で到来波が分離されるため、エリア内に侵入した不審者を検知し、不審者の数を検出することができる。
【００５７】
（実施の形態２）
図６は、本実施の形態に係る不審者検知装置の要部構成を示すブロック図である。なお、図６の本実施の形態に係る不審者検知装置において、図１と共通する構成部分には、図１と同一の符号を付して説明を省略する。図６の不審者検知装置１００Ａは、図１の不審者検知装置１００に対して、遅延時間変化解析部１０５及び反射源判定部１０６に代えて、振幅変化解析部１１０及び反射源判定部１０６Ａを有する。
【００５８】
振幅変化解析部１１０は、入力される到来波の遅延時間及び受信強度（受信電力）の情報のうち、受信強度の時間的な揺らぎ（時間変化）を解析する。振幅変化解析部１１０は、到来波の受信強度の時間的な揺らぎ（時間変化）を周波数変換し、周波数変換結果を反射源判定部１０６Ａに送出する。
【００５９】
反射源判定部１０６Ａは、入力される到来波の受信強度の時間的な揺らぎ（時間変化）の周波数変換結果から、特定の周波数成分を持つ到来波を抽出することにより、反射源が不審者か固定物体かを区別する。
【００６０】
実施の形態１で説明したように、人体からの反射波については、心拍や呼吸の動作により反射点が微妙に変化する。反射点が変化することにより、人体で反射して受信される到来波の振幅（強度）は微妙な変化が発生する。一方で、壁や什器等の固定物体からの反射波は、反射点が変化しないため、これらの物体から反射し受信する到来波の受信強度は、変動しない。この特徴を利用し、反射源判定部１０６Ａは、到来波の受信強度の時間的な揺らぎ（時間変化）の周波数成分に基づいて、特定の周波数成分を持つ到来波を抽出することにより、不審者からの反射波か固定物体からの反射波かを区別し、不審者の検出を行う。
【００６１】
更に、上述したように、送信パルスに広帯域なＵＷＢパルス信号を用いることにより、時間軸上で到来波が分離されるため、反射源判定部１０６Ａは、複数の不審者がエリア内に存在した場合においても、不審者毎の反射波を別の到来波として区別できるため、エリア内に存在する不審者の数を数えることができる。
【００６２】
このように、本実施の形態では、反射源判定部１０６Ａは、到来波の振幅の変動、すなわち、受信強度の時間的な揺らぎ（時間変化）の周波数成分に基づいて、不審者からの反射波か固定物体からの反射波かを区別し、不審者を検出する。
【００６３】
なお、本発明の発明者らは、反射物からの反射波の振幅変動の特徴を観測するために、以下の測定を行った。
【００６４】
（１）送信アンテナから反射物に向かってパルス信号を送信し、反射物からの反射波を受信アンテナで受信する。送信アンテナと受信アンテナはともに指向性の鋭いホーンアンテナを用いた。ホーンアンテナは、前方方向に細いアンテナ指向性を構成する。
（２）反射物として、金属板と人体との二種類を用いた。なお、反射物はどちらも静止させた。
（３）送信アンテナから送信されるパルス信号は、１ＧＨｚのキャリア信号とし、送信出力は０ｄＢｍとした。また、測定は１０回行った。
【００６５】
図７Ａ、図７Ｂは、電波暗室内に構築した上記測定環境を表す図である。図７Ａは、反射物に固定物体として金属板を用いたときの測定環境を表す。また、図７Ｂは、反射物に人体を用いたときの測定環境を表す。
【００６６】
図７Ａの測定系は、送信アンテナ６００、受信アンテナ６０１、及び金属板６０２を備える。また、図７Ｂの測定系は、送信アンテナ６００、受信アンテナ６０１、及び人体６０３を備える。図７Ｂの測定系と図７Ａの測定系との違いは、反射物を、金属板６０２から人体６０３へ変更した点である。その他は、図７Ａと同様である。
【００６７】
図８Ａ、図８Ｂは、図７Ａの測定系における各反射波の受信強度の時間的な揺らぎの周波数解析結果を示し、図９Ａ、図９Ｂは、図７Ｂの測定系における各反射波の受信強度の時間的な揺らぎの周波数解析結果を示している。図８Ａは、金属板６０２からの反射波をフーリエ変換し、横軸を周波数、縦軸を受信強度として表している。なお、図８Ａは、１０回の測定結果を重ねてグラフ化している。図８Ｂは、図８Ａの点線で囲んだ部分について拡大している。
【００６８】
図９Ａは、図８Ａと同様に、人体６０３からの反射波をフーリエ変換し、横軸を周波数、縦軸を受信強度として表している。図９Ｂは、図９Ａの点線で囲んだ部分について拡大している。
【００６９】
反射物が金属板６０２の場合の結果を示す図８Ｂにおいて、１ＧＨｚの電力に着目すると、受信強度に変動は見られない。一方、反射物が人体６０３の場合の結果を示す図９Ｂにおいて、１ＧＨｚの受信強度に着目すると、１０回の測定でばらつきが見られる。このように、同じ測定環境で測定した場合でも、人体６０３からの反射波の受信強度には、変動が見られる。すなわち、この変動の特徴を解析することによって、反射物が、呼吸、心拍を伴う人体等の動体であるか、又は金属板等の固定物体であるかを検出することができる。
【００７０】
以上のように、本実施の形態では、振幅変化解析部１１０により解析された到来波の遅延時間及び受信強度の情報の変化に基づいて、反射源判定部１０６Ａは、到来波の反射源が、物体か固定物体かを判定するようにした。
【００７１】
更に、遅延プロファイル生成部１０３及びピーク検出部１０４により、送信パルスにＵＷＢ信号を用いる場合、到来波が時間軸上で分離されるために、複数の不審者がエリア内に存在した場合に、それぞれの反射波を別の到来波として区別できるため、エリア内に存在する不審者の数を数えることができる。
【００７２】
（実施の形態３）
図１０は、本実施の形態に係る不審者検知システムの構成を示した図である。不審者検知システムは、タグ７００と基地局７１０とを含む。
【００７３】
本実施の形態に係る不審者検知システムにおいて、基地局７１０は、タグ７００へ向けて、位置を特定するためのパルス信号を送信する。パルス信号を受信したタグ７００は、再び基地局７１０へ向けてパルス信号を返信する。この信号を基地局７１０が受信し、タグ７００の位置を特定する。更に、タグの返信以外の受信信号を用いてタグを持たない不審者の検知を行う。
【００７４】
タグ７００は、人体や物体に携帯される。タグ７００は、他のタグと区別ができるように、固有の識別ＩＤ（Identifier）を持つ。タグ７００で受信した基地局７１０から送信されたパルス信号に対してＡＳＫ変調を施し、基地局７１０へ返信するため再送信する。ＡＳＫ変調を行う方法としては、増幅器の電源を制御する方法やＲＦスイッチを制御することで変調することができる。
【００７５】
基地局７１０は、実施の形態１に係る不審者検知装置１００を具備し、タグ及び不審者の位置を検出するためのパルス信号を送信し、タグから返されるパルス信号を用いてタグＩＤの復調、タグの位置測定、及び、不審者を検出する。なお、図１０では、一例としてタグ数が１個の場合を示したが、これに限るものではなく、複数のタグが同時に存在してもよい。
【００７６】
図１１は、本実施の形態に係る不審者検知システムにおける基地局７１０の内部構成を示した図である。なお、図１１の基地局７１０において、図１の不審者検知装置１００と共通する構成部分には、図１と同一の符号を付して説明を省略する。
【００７７】
基地局７１０は、受信アンテナ１０１、受信無線部１０２、遅延プロファイル生成部１０３、ピーク検出部１０４、遅延時間変化解析部１０５、パルス生成部１０７、送信無線部１０８、送信アンテナ１０９、ＩＤ抽出部７１１、距離測定部７１２、アレーアンテナ７１３、到来方向測定無線部７１４、到来方向測定部７１５、及び反射源判定部７１６を備える。
【００７８】
アレーアンテナ７１３は、タグや壁、什器、人体等からの反射波を受信する。受信した信号は、到来方向測定無線部７１４へ送出される。
【００７９】
ＩＤ抽出部７１１は、ピーク検出部１０４において遅延プロファイルから抽出された到来波の情報を入力とし、到来波からタグＩＤを抽出する。
【００８０】
ここで、タグ７００において付加されるタグＩＤのフォーマットについて説明する。タグ７００は、タグＩＤを非同期でＡＳＫ変調する。そのため、到来波が時間的に存在する場合と存在しない場合とがあり、受信側の基地局７１０がタグＩＤの先頭を見つけられない場合がある。そこで、各タグは、基地局７１０がタグＩＤの先頭を検出することができるように、全てのタグで同一のプリアンブルをＡＳＫ変調し、タグＩＤの前に付加する。
【００８１】
ＩＤ抽出部７１１は、上記プリアンブルのパターンと到来波との相関演算を行い、高い相関値を出力した部分をタグＩＤの先頭と判定する。そして、ＩＤ抽出部７１１は、先頭以降をタグＩＤとして復調することにより、タグＩＤを抽出する。到来波情報から抽出されたタグＩＤは、反射源判定部７１６へ送出される。なお、タグＩＤが付加されていない到来波についての情報も同様に反射源判定部７１６へ送出される。
【００８２】
距離測定部７１２は、ピーク検出部１０４から出力される到来波情報とパルス生成部１０７から出力されるパルス信号とを入力とし、到来波情報及びパルス信号を用いて、パルス信号を送信してから受信するまでの時間を測定する。基地局７１０から送信されたパルス信号が反射源で反射され、再び基地局７１０で受信されるまでの時間は往復の時間であるので、距離測定部７１２は、その半分の時間と光速とを用いて反射源との距離を計算する。このように計算した各到来波の反射源と基地局７１０との距離は、反射源判定部７１６へ送出される。
【００８３】
到来方向測定無線部７１４は、アレーアンテナ７１３で受信したパルス信号に対して、増幅、帯域制限、周波数変換、ＡＤ変換等を施し、デジタルベースバンド信号を生成する。このとき、帯域制限に用いるフィルタの帯域幅は、後の処理での扱いやすさを考えると、狭帯域であることが望ましい。デジタルベースバンド信号は、到来方向測定部７１５へ送出される。
【００８４】
到来方向測定部７１５は、入力されたデジタルベースバンド信号に対して、アレーアンテナ７１３の指向性制御や到来方向推定アルゴリズムを用いて、到来波の到来方向を算出する。到来方向推定アルゴリズムとしては、ＭＵＳＩＣ（Multiple SIgnal Classfication）或いはＥＳＰＲＩＴ（Estimation of signal parameters via rotational invariance techniques）等の方法が一般的に知られている。これらの方法で求めた到来波の到来方向は、反射源判定部７１６へ送出される。
【００８５】
反射源判定部７１６は、遅延時間変化解析部１０５で抽出した到来波の遅延時間の時間的な揺らぎ（遅延時間変化）の特徴量と、ＩＤ抽出部７１１で検出した到来波のタグＩＤと、距離測定部７１２で測定した各到来波の反射源と基地局７１０との距離情報と、到来方向測定部７１５で算出した各到来波の到来方向とを入力とする。反射源判定部７１６は、タグＩＤ、遅延時間の時間的な揺らぎ（遅延時間変化）の特徴量の情報から、その到来波がタグ７００からの反射波であるか、壁や什器等の固定物体からの反射波であるか、又は、不審者からの反射波であるかを判定する。更に、反射源判定部７１６は、到来波の反射源と基地局７１０との距離、到来方向を用いて、反射源の位置を特定し、判定した反射源の判定結果及び反射源の位置の情報を出力する。
【００８６】
図１２は、反射源判定部７１６における反射源の判定手順を示したフロー図である。図１２では、反射源判定部７１６が、反射源として、（１）タグからの反射波、（２）壁や什器などの固定物体からの反射波、（３）不審者からの反射波、（４）これら以外の動体からの反射波の４つに分ける場合を例に説明する。
【００８７】
反射源判定部７１６において、処理が開始されると、ＳＴ８００へと進む。
【００８８】
ＳＴ８００において、反射源判定部７１６は、到来波にタグＩＤが付加されているかを確認する。タグＩＤが付加されている場合（ＳＴ８００：ＹＥＳ）、反射源判定部７１６は、到来波がタグからの反射波であると判定する（ＳＴ８０１）。一方、タグＩＤが付加されていない場合（ＳＴ８００：ＮＯ）、ＳＴ８０２へ進む。
【００８９】
ＳＴ８０２において、遅延時間の時間的な揺らぎ（遅延時間変化）の特徴量の周波数解析結果が０．５Ｈｚ未満の場合（ＳＴ８０２：ＹＥＳ）、反射源判定部７１６は、到来波を壁や什器等の固定物体からの反射波であると判定する（ＳＴ８０３）。一方、遅延時間の時間的な揺らぎ（遅延時間変化）の特徴量の周波数解析結果が０．５Ｈｚ以上の場合（ＳＴ８０２：ＮＯ）、ＳＴ８０４へ進む。
【００９０】
ＳＴ８０４において、遅延時間の時間的な揺らぎ（遅延時間変化）の特徴量の周波数解析結果が０．５Ｈｚ〜２Ｈｚである場合（ＳＴ８０４：ＹＥＳ）、反射源判定部７１６は、到来波が不審者からの反射波であると判定する（ＳＴ８０５）。一方、遅延時間の時間的な揺らぎ（遅延時間変化）の特徴量の周波数解析結果が２Ｈｚ以上の場合（ＳＴ８０４：ＮＯ）は、反射源判定部７１６は、上記以外の動体からの反射波と判定する（ＳＴ８０６）。
【００９１】
以上のように、本実施の形態では、基地局７１０において、ＩＤ抽出部７１１は、到来波からタグＩＤを抽出し、距離測定部７１２は、広帯域なパルス信号を送信してから、反射源により反射されたパルス信号を受信するまでの遅延時間に基づいて、反射源との距離を測定し、到来方向測定無線部７１４は、受信したパルス信号の到来方向を測定し、反射源判定部７１６は、実施の形態１の反射源判定部１０６と同様に、到来波の遅延時間の時間的な揺らぎ（遅延時間変化）の周波数成分に基づいて、反射源がタグ７００か、壁や什器等の固定物体か、不審者かを判定し、更に、反射源判定部７１６は、測定された反射源との距離及び到来方向に基づいて、反射源の位置を特定するようにした。
【００９２】
これにより、基地局７１０が管理するエリア内に不審者が侵入した場合に、複数の不審者の侵入を検知するとともに、複数の不審者の位置を特定することができる。また、複数の不審者の位置を検知し続けることで、複数の不審者の移動を同時に測定することができる。
【００９３】
また、反射源判定部７１６は、到来波の遅延時間の時間的な揺らぎ（遅延時間変化）の周波数解析結果を用いて、到来波の反射源が人体か、又は異なる動物（動体）か、を判定することができる。また、これら判定結果を利用することにより、例えば災害時等に、人間が生存しているか否かを検出することができる。
【００９４】
なお、以上の説明では、実施の形態１で説明した不審者検知装置１００を搭載する基地局７１０を含む不審者検知システムについて説明したが、基地局７１０が実施の形態２で説明した不審者検知装置１００Ａを搭載する場合においても、不審者検知システムは、上記同様の効果を得ることができる。
【００９５】
以下、基地局７１０が実施の形態２で説明した不審者検知装置１００Ａを搭載する場合について説明する。
【００９６】
図１３は、実施の形態２で説明した不審者検知装置１００Ａを搭載する基地局７１０Ａの内部構成を示した図である。なお、図１３の基地局７１０Ａにおいて、図１１の基地局７１０と共通する構成部分には、図１１と同一の符号を付して説明を省略する。図１３の基地局７１０Ａは、図１１の基地局７１０に対して、遅延時間変化解析部１０５及び反射源判定部７１６に代え、振幅変化解析部１１０及び反射源判定部７１６Ａを備える。
【００９７】
反射源判定部７１６Ａは、振幅変化解析部１１０で抽出した到来波の受信強度の時間的な揺らぎ（時間変化）の特徴量、ＩＤ抽出部７１１で検出した到来波のタグＩＤ、距離測定部７１２で測定した各到来波の反射源と基地局７１０Ａとの距離情報、及び、到来方向測定部７１５で算出した各到来波の到来方向を入力とする。反射源判定部７１６Ａは、タグＩＤ、受信強度の時間的な揺らぎ（時間変化）の特徴量の情報から、その到来波がタグ７００からの反射波であるか、壁や什器等の固定物体からの反射波であるか、又は、不審者からの反射波であるかを判定する。更に、反射源判定部７１６Ａは、反射源との距離、到来方向を用いて、反射源の位置を特定し、判定した反射源の判定結果及び反射源の位置の情報を出力する。
【００９８】
以上のように、基地局７１０Ａにおいて、反射源判定部７１６Ａは、実施の形態２の反射源判定部１０６Ａと同様に、到来波の受信強度の時間的な揺らぎ（時間変化）の周波数成分に基づいて、反射源がタグ７００か、壁や什器等の固定物体か、不審者等の呼吸、心拍を伴う動体かを判定し、更に、反射源判定部７１６Ａは、測定された距離及び到来方向に基づいて、反射源の位置を特定するようにした。
【００９９】
これにより、基地局７１０Ａが管理するエリア内に不審者が侵入した場合に、複数の不審者の侵入を検知するとともに、複数の不審者の位置を特定することができる。また、複数の不審者の位置を検知し続けることで、複数の不審者の移動を同時に測定することができる。
【０１００】
また、反射源判定部７１６Ａは、到来波の受信強度の時間的な揺らぎ（時間変化）の周波数解析結果を用いて、到来波の反射源が人体か、異なる動物（動体）か、を判定することができる。また、これら判定結果を利用することにより、例えば災害時等に、人間が生存しているか否かを検出することができる。
【産業上の利用可能性】
【０１０１】
本発明は、広帯域なパルス信号を用いたセキュリティシステム、例えば、無線タグを用いて行う測位技術を利用したセキュリティシステムに有用である。更には、遠隔医療管理システム等の医療分野への用途にも応用できる。
【符号の説明】
【０１０２】
１００，１００Ａ  不審者検知装置
１０１，６０１  受信アンテナ
１０２  受信無線部
１０３  遅延プロファイル生成部
１０４  ピーク検出部
１０５  遅延時間変化解析部
１０６，１０６Ａ  反射源判定部
１０７  パルス生成部
１０８  送信無線部
１０９  送信アンテナ
１１０  振幅変化解析部
５００，５０２  アンテナ
３００，７１０，７１０Ａ  基地局
５０１，５０３，６０３  人体
６００  送信アンテナ
６０２  金属板
７００  タグ
７１１  ＩＤ抽出部
７１２  距離測定部
７１３  アレーアンテナ
７１４  到来方向測定無線部
７１５  到来方向測定部
７１６，７１６Ａ  反射源判定部
【図１】
2011007518.tif 000003
【図２】
2011007518.tif 000004
【図３】
2011007518.tif 000005
【図４】
2011007518.tif 000006
【図５】
2011007518.tif 000007
【図６】
2011007518.tif 000008
【図７Ａ】
2011007518.tif 000009
【図７Ｂ】
2011007518.tif 000010
【図８Ａ】
2011007518.tif 000011
【図８Ｂ】
2011007518.tif 000012
【図９Ａ】
2011007518.tif 000013
【図９Ｂ】
2011007518.tif 000014
【図１０】
2011007518.tif 000015
【図１１】
2011007518.tif 000016
【図１２】
2011007518.tif 000017
【図１３】
2011007518.tif 000018